(57)【特許請求の範囲】
【請求項１】
電磁的に駆動される可動式ドームと、
本体およびドームインターフェイス面を備えたフェイズプラグと、
前記ドームとドームインターフェイス面との間に形成された圧縮キャビティと、を備えた電気変換器を具備した装置であって、
前記フェイズプラグは少なくとも第１および第２環状スロットを具備し、該スロットは前記ドームインターフェイス面を開始端とし且つ前記フェイズプラグの本体内部に第１深さまで延在しており、
前記第１および第２環状スロットはブリッジ要素によって前記ドームインターフェイス面において離間され、前記ドームインターフェイス面の下の第１深さにおいて第１ブリッジ通路に結合されており、前記第１および第２環状スロットのみが前記第１ブリッジ通路によって結合されており、
前記フェイズプラグは、該フェイズプラグの本体内の第２深さにおいて、前記第１ブリッジ通路をスロートに連結した出口スロットをさらに具備していることを特徴とする装置。
【請求項２】
前記第１および第２環状スロットはほぼ均等な断面積を有することを特徴とする請求項１に記載の装置。
【請求項３】
前記出口スロットは前記第１ブリッジ通路において前記第１および第２環状スロットの断面積の総和とほぼ等しい断面積を有することを特徴とする請求項１に記載の装置。
【請求項４】
前記出口スロットは前記第１ブリッジ通路を開始端とし、前記第１ブリッジ通路からスロートまで前記出口スロットの長さに亘って指数関数的に増大した断面積を有することを特徴とする請求項１に記載の装置。
【請求項５】
前記第１および第２環状スロットは前記フェイズプラグの中心軸から第１および第２半径距離に対応した位置に配置されており、前記第１および第２半径距離は前記ドームの動作によって前記圧縮キャビティ内において発生した定常波をゼロにする第１および第２位置に対応していることを特徴とする請求項１に記載の装置。
【請求項６】
前記出口スロットは前記第１ブリッジ通路に沿った位置を開始端とし、当該位置は前記第１ブリッジ通路、前記第１および第２環状スロットならびに該第１および第２環状スロットに結合した圧縮キャビティの一部を具備したループ内の定常波をゼロにする位置に対応していることを特徴とする請求項１に記載の装置。
【請求項７】
前記ドームに連結された音声コイルと、前記ドームを周囲構造に連結した弾性サラウンドと、をさらに具備していることを特徴とする請求項１に記載の装置。
【請求項８】
前記フェイズプラグの出力開口に連結されたホーンをさらに具備していることを特徴とする請求項１に記載の装置。
【請求項９】
前記フェイズプラグは第３スロットをさらに具備し、該第３スロットは前記ドームインターフェイス面を開始端としており、且つ前記フェイズプラグの本体内に第３深さで延在しており、
前記第３スロットは、前記ドームインターフェイス面において前記第２環状スロットから第２ブリッジ要素によって離間され、且つ第２ブリッジ通路によって前記第３深さで前記第１ブリッジ通路に結合されており、
前記出口スロットは前記第２ブリッジ通路を開始端としていることを特徴とする請求項１に記載の装置。
【請求項１０】
前記フェイズプラグは第３および第４スロットをさらに具備し、該第３および第４スロットは前記ドームインターフェイス面を開始端としており、且つ前記フェイズプラグの本体内に第３深さで延在しており、
前記第３および第４スロットは第２ブリッジ要素によって前記ドームインターフェイス面において離間され、且つ第２ブリッジ通路によって前記ドームインターフェイス面の下の第３深さにおいて結合されており、
前記第２環状スロットと第１ブリッジ通路とは前記ドームインターフェイス面において第３ブリッジ要素によって前記第３スロットと第２ブリッジ通路とから離間され、且つ前記第３ブリッジ要素の下の第４深さにおいて第３ブリッジ通路によって結合されていることを特徴とする請求項１に記載の装置。
【請求項１１】
前記第１深さと第３深さとはほぼ均等であることを特徴とする請求項１０に記載の装置。
【請求項１２】
前記ドームは前記フェイズプラグに対して凸形状であることを特徴とする請求項１に記載の装置。
【請求項１３】
前記ドームは前記フェイズプラグに対して凹形状であることを特徴とする請求項１に記載の装置。
【請求項１４】
電磁的に駆動される可動式ドームと、
本体およびドームインターフェイス面を備えたフェイズプラグと、
前記ドームとドームインターフェイス面との間に形成された圧縮キャビティと、を備えた電気変換器を具備した装置であって、
前記フェイズプラグは少なくとも第１および第２環状スロットを具備し、該スロットは前記ドームインターフェイス面を開始端とし且つ前記フェイズプラグの本体内部に第１深さまで延在しており、
前記第１および第２環状スロットはブリッジ要素によって前記ドームインターフェイス面において離間され、前記ドームインターフェイス面の下の第１深さにおいて第１ブリッジ通路に結合されており、
前記フェイズプラグは、該フェイズプラグの本体内の第２深さにおいて、前記第１ブリッジ通路をスロートに連結した出口スロットをさらに具備し、前記第１および第２環状スロットは前記フェイズプラグの中心軸から第１および第２半径距離に対応した位置に配置されており、前記第１および第２半径距離は前記ドームの動作によって前記圧縮キャビティ内において発生した定常波をゼロにする第１および第２位置に対応していることを特徴とする装置。
【請求項１５】
電磁的に駆動される可動式ドームと、
本体およびドームインターフェイス面を備えたフェイズプラグと、
前記ドームとドームインターフェイス面との間に形成された圧縮キャビティと、を備えた電気変換器を具備した装置であって、
前記フェイズプラグは少なくとも第１および第２環状スロットを具備し、該スロットは前記ドームインターフェイス面を開始端とし且つ前記フェイズプラグの本体内部に第１深さまで延在しており、
前記第１および第２環状スロットはブリッジ要素によって前記ドームインターフェイス面において離間され、前記ドームインターフェイス面の下の第１深さにおいて第１ブリッジ通路に結合されており、
前記フェイズプラグは、該フェイズプラグの本体内の第２深さにおいて、前記第１ブリッジ通路をスロートに連結した出口スロットをさらに具備し、前記出口スロットは前記第１ブリッジ通路に沿った位置を開始端とし、当該位置は前記第１ブリッジ通路、前記第１および第２環状スロットならびに該第１および第２環状スロットに結合した圧縮キャビティの一部を具備したループ内の定常波をゼロにする位置に対応していることを特徴とする装置。
【発明の詳細な説明】
【技術分野】
【０００１】
本開示はブリッジフェイズプラグ（bridged phase plug）を備えた電気音響変換器に関する。
【背景技術】
【０００２】
圧縮ドライバは電気音響変換器の一種であり、その内部では空気が可動式のダイヤフラムと固定フェイズプラグとの間の圧縮キャビティ内において圧縮される。フェイズプラグ内の通路はスロットとして言及されるが、空気を圧縮キャビティから聴取環境まで、一般的にはスローとおよびホーンを通じて空気を伝動する。ホーンはスロート内の空気と聴取環境の自由空間における空気との間のインピーダンス整合に寄与し、放射された音の指向性を制御している。
【０００３】
いくつかの語句は図１および２を参照するとともに定義されている。参照のために、「頂点」および「底部」または「上に」および「下に」等の方向は、「上」および「下」を定義した図面の頂点および底部の余白を伴った、図面自身を参照している。組み込まれているように、フェイズプラグは任意の方向に向けることが可能である。圧縮ドライバにおいて、一次作動要素はドーム１０として参照されている。いくつかの例において、ドームは単純な球状セクションである。いくつかの例において、ドームは複雑な曲率を備えている。ドームの端部はスカート１２と称される円筒セクション内に形成され、または結合されている。スカートは音声コイルまたはボビン１４およびサラウンド１６に結合されており、順に外部構造１８に固定されている。いくつかの例において、サラウンドはドームの延長から形成されており、分離されていない。音声コイル２０はボビンの周囲に巻付けられ、電流または電圧が音声コイルに負荷された場合に、磁石２２と極片２４に反応してボビンとドームとを作動させる。ドームの上は後方キャビティ壁２８によって境界を画定された後方キャビティ２６である。ドームの下はフェイズプラグ３４のドームインターフェイス面３２によって境界を画定された前方または圧縮キャビティである。ドームの動作は圧縮キャビティ内の空気を圧縮する。図１および２の例において、ドーム、スカート、ボビン、サラウンド、音声コイル、磁石、および極片は抽象的に図示されており、任意の特別なデザインまたは技術を現すように意図されていない。
【０００４】
図１および２に例示された典型的なフェイズプラグにおいて、１つ以上のスロット３６ａ、３６ｂ、３６ｃはフェイズプラグのドームインターフェイス面を開始端とし、スロート３８に結合して、圧縮キャビティ３０からスロート３８まで圧縮空気を伝達している。スロートは、複数のスロットが単一の通路に完全に結合される位置を始点とするものとして定義されている。一方で、我々はこれらの通路をスロットとして言及し、２次元セクションにおけるそれらの存在（例えば図１）のために、それらは３次元フェイズプラグにおいて現実に円錐形状の空間であり、（この例において実施されているように、スロットが幅においてテーパとなっている場合）円錐のわずかに異なった半径および／または垂直位置によって頂点と底部とで境界が画定されている。図２において、各スロット３６ａ、３６b、３６cは２つ見られている。与えられたスロットの形状においては、フェイズプラグ３４はいくつかの同心の円錐形状のソリッド３４ａ〜３４ｃおよび外側円筒ソリッド３４ｄから成り、すべてはスロット内のサポート（図示略）によって相対位置に結合され且つ保持されている。スロット３６ａ〜３６ｃは圧縮キャビティ３０をスロート３８に連結しており、スロートは順にホーンにつながっている。
【発明の概要】
【発明が解決しようとする課題】
【０００５】
本発明の目的は、圧縮ドライバの全作動範囲に亘って、高効率なレベルでの滑らかな出力応答を提供する、ブリッジフェイズプラグを備えた電気音響変換器を提供することである。
【課題を解決するための手段】
【０００６】
一般的に、いくつかの態様において、電気音響変換器は電磁駆動の可動式ドームと、本体およびドームインターフェイス面を備えたフェイズプラグと、ドームとドームインターフェイス面との間に形成された圧縮キャビティと、を備えている。フェイズプラグは少なくとも第１および第２環状スロットを具備し、スロットはドームインターフェイス面を開始端とし且つフェイズプラグの本体内部に第１深さまで延在している。第１および第２環状スロットはブリッジ要素によってドームインターフェイス面において離間され、ドームインターフェイス面の下の第１深さにおいて第１ブリッジ通路に結合されている。フェイズプラグは、フェイズプラグの本体内の第２深さにおいて、ブリッジ通路をスロートに連結した出口スロットも含んでいる。
【０００７】
実施形態は１つ以上の以下の特徴を含んでいてもよい。第１および第２スロットはほぼ均等な断面積を有する。出口スロットは前記第１ブリッジ通路において前記第１および第２スロットの断面積の総和とほぼ等しい断面積を有していてもよい。出口スロットは第１ブリッジ通路を開始端とし、ブリッジ通路からスロートまで出口スロットの長さに亘って指数関数的に増大した断面積を有する。第１および第２スロットはフェイズプラグの中心軸から第１および第２半径距離に対応した位置に配置されており、第１および第２半径距離はドームの動作によって圧縮キャビティ内において発生した定常波をゼロにする第１および第２位置に対応していてもよい。出口スロットは第１ブリッジ通路に沿った位置を開始端とし、この位置は第１ブリッジ通路、第１および第２スロットならびに第１および第２スロットに結合した圧縮キャビティの一部を含んだループ内の定常波をゼロにする位置に対応していてもよい。
【０００８】
音声コイルがドームに連結され、且つ弾性サラウンドがドームを周囲構造に連結していてもよい。ドームフェイス面（dome-facing surface）を含んだハウジングが、ドームとドームフェイス面との間に後方キャビティを形成してもよい。ホーンがフェイズプラグの出力開口に連結されていてもよい。フェイズプラグは第３スロットも含み、第３スロットはドームインターフェイス面を開始端としており、且つフェイズプラグの本体内に第３深さで延在しており、第３スロットは、ドームインターフェイス面において第２スロットから第２ブリッジ要素によって離間され、且つ第２ブリッジ通路によって第３深さで第１ブリッジ通路に結合されており、出口スロットは第２ブリッジ通路を開始端としている。フェイズプラグは第３および第４スロットも含み、第３および第４スロットはドームインターフェイス面を開始端としており、且つフェイズプラグの本体内に第３深さで延在しており、第３および第４スロットは第２ブリッジによってドームインターフェイス面において離間され、且つ第２ブリッジ通路によってドームインターフェイス面の下の第３深さにおいて結合されており、第２スロットと第１ブリッジ通路とはドームインターフェイス面において第３ブリッジ要素によって第３スロットと第２ブリッジ通路とから離間され、且つ第３ブリッジ要素の下の第４深さにおいて第３ブリッジ通路によって結合されている。第１深さと第３深さとはほぼ均等である。ドームはフェイズプラグに対して凸形状または凹形状である。
【０００９】
利点は、圧縮ドライバの全作動範囲に亘って、高効率なレベルでの滑らかな出力応答を提供することを含んでいる。
【００１０】
他の特徴および利点は明細書および特許請求の範囲から明らかになるだろう。
【図面の簡単な説明】
【００１１】
【図１】従来の圧縮ドライバの正面の断面を示した図である。
【図２】従来の圧縮ドライバの断面の等角図を示している。
【図３Ａ】ブリッジフェイズプラグを備えた圧縮ドライバの正面の断面を示した図である。
【図３Ｂ】ブリッジフェイズプラグを備えた圧縮ドライバの正面の断面を示した図である。
【図４】ブリッジフェイズプラグを備えた圧縮ドライバの断面の等角図を示している。
【図５】ブリッジフェイズプラグを備えた圧縮ドライバの代替的な実施形態の正面の断面を示した図である。
【図６】ブリッジフェイズプラグを備えた圧縮ドライバの代替的な実施形態の正面の断面を示した図である。
【図７】組み立てられた圧縮ドライバとホーンとを示した図である。
【図８】ブリッジフェイズプラグと逆転ドームとを備えた圧縮ドライバの正面の断面を示した図である。
【発明を実施するための形態】
【００１２】
ブリッジフェイズプラグ（bridged phase plug）１０２を備えた改良された圧縮ドライバ１００が図３Ａ、３Ｂおよび４に示されている。図３Ａはドライバを特定しており、一方で図３Ｂは寸法および部品の幾何形状を記載するために使用された参照点を指示している。参照符号は、他の部品の幾何形状の議論において参照されていない部品に関して、図３Ｂにおいては省略されている。フェイズプラグの両側に存在している要素は、明確化のために図３Ｂにおいては一方の側にのみ示されている。ブリッジフェイズプラグ１０２において、２つのスロット１０４，１０６はドームインターフェイス面１０８にあり、フェイズプラグ内に浅い深さ１０８ａにおいて延在し、ブリッジ通路１１０においてそれらは結合している。ブリッジ通路は圧縮空間３０から離間されており、２つのスロットはブリッジ要素１１２によって互いに離間されている。出口スロット１１４はブリッジ通路１１０を起点とし、フェイズプラグの本体を通じてスロート１１６に続いている。スロートは開口１１８で終端となっている。参照の点を規定するために、出口スロット１１４の開始端が開口部１１０ａであると考え、そこでは、出口スロット１１４が無い場合には、ブリッジ空間１１０の低壁１１０ｂが続いている。出口スロット１１４の終端およびスロート１１６の開始端は面１０８の下の深さ１０８ｂにおけるセクション１１４ａであり、そこでは、（横断面において図示されたように）出口スロット１１４の半分の２つが結合している。
【００１３】
ドーム１０、ボビン１４、サラウンド１６、音声コイル２０、およびフェイズプラグの外部の他の部品は従来の圧縮ドライバのデザインから変化していないか、またはブリッジフェイズプラグから独立した他の方法において改良されてもよい。可動部および外部構造の改良はこの開示の範囲を超えている。
【００１４】
様々な設計パラメータが改良されて、ブリッジフェイズプラグ１０２を特に性能を狙って、後方キャビティ、圧縮キャビティ、および可動部（ドーム、スカート、ボビン、サラウンド）の音響特性に基づいて、最適化してもよい。特に、スロット１０４および１０６の半径１０４ｃ、１０６ｃ（フェイズプラグの中心線１００ａからスロットの中心線１０４ａ、１０６ａまで測定された）、スロットの幅１０４ｂ、１０６ｂ、出口スロット１１４がブリッジ通路１１０に結合した位置の半径１１４ｃ、ならびにスロットの曲率は、所望の性能を得るために全て変化され得る。
【００１５】
いくつかの例において、スロット１０４および１０６は、圧縮キャビティ内でドームの動作によって誘起された、低次の軸対象またはラジアルモード定常波をゼロにするように選択された半径において中心を合わせられている。そのようなゼロ値にスロットを配置することは、圧縮キャビティ内のキャビティモードに起因した圧力を最小化する。スロット１０４および１０６の幅は、２つのスロットの総断面積間の関係を制御するように選択されている。いくつかの実施形態において、幅は、２つのスロットが均等、またはほぼ均等な面積を備えるように選択されており、我々はその面積をバランスブリッジと称している。２つのスロットの面積の固有の関係は、所望の性能を得るために変化されることが可能である。それに対して、いくつかの従来の複数スロットのフェイズプラグにおいては、各々のスロット幅は同一であり、各スロットの総面積はその半径に比例している。バランスブリッジデザインは、圧縮キャビティ内の圧力ピークを、スロット位置を変更することなく制御している。それは、圧縮キャビティの中心における圧力応答を、ブリッジが共鳴する周辺の広い周波数に亘って減少している。ブリッジ要素１１２の厚さはテーパ付けされており、２つのスロット１０４と１０６との間の断面積は、ドームインターフェイス面１０８からスロットが出口スロット１１４と一体となって結合する領域までの個々の長さに沿ってほぼ一定とされている。図３Ｂに示されたように、我々はスロット１０４および１０６の断面領域を、それぞれの長さに沿った様々な位置における断面のスロットの幅１０４ｂおよび１０６ｂによって参照している。幅１０４ｂ、１０６ｂはスロット１０４、１０６の開始端と終端とにおいて図示されている。同様に、出口スロット１１４の幅１１４ｂは出口スロットの開始端と終端とにおいて図示されている。これらの線はフェイズプラグ１００ａの中心線に関して回転されて、領域を形成している。ブリッジ通路１１０と結合する位置（すなわち、図３ａの１１０ａ）の出口スロット１１４の断面積は、ドライバの圧縮比を設定している。いくつかの実施形態において、面１０８におけるスロット１０４および１０６の面積は、それらがブリッジ空間内に続いているので、組み合わせてブリッジ通路１１０と結合する位置の出口スロット１１４の面積に一致するように選択されており、面１０８から出口スロット１１４の開始端（１１０ａ）までのスロットの総断面積は一定であり、ドライバの圧縮比に対応している。
【００１６】
出口スロット１１４がブリッジ通路１１０と結合する位置の半径１１４ｃは、ブリッジ通路１１０内の定常波を低次、例えば一次でゼロにするように選択されている。また、図３Ａおよび３Ｂの例に示されたように、出口スロット１１４の側壁は、ブリッジ通路１１０からスロート１１６まで滑らかに変化した湾曲を備えている。また、この実施形態において、出口スロット１１４の断面積は、ドライバの目標とした遮蔽周波数に基づいて、ブリッジからスロートまで指数関数的に増大している。指数関数曲線は、圧縮ドライバに追加される任意の音響経路の長さをホーンの回折スロットに到達する前に減少することを補助する。より一般的には、スロットの総面積は圧縮キャビティからスロートまで長さに沿って滑らかに変化し、スロートに向かって全体的に一定であるか、または単調に増加している。配置、比率および曲率のこの組み合わせは、スロートにおける周波数の広い範囲に亘った、少なくともドーム１０がピストンとして動作する場合の滑らかな周波数応答に帰結する。
【００１７】
バランスブリッジフェイズプラグ（balanced bridge phase plug）は、従来の複数スロットフェイズプラグと比較して、ループ共鳴の制御のさらなる利点を備えている。図１の従来のフェイズプラグにおいては、ループ共鳴波はスロット間に存在してもよく、すなわち、共鳴波はスロット３６ａと３６ｂとの間に存在してもよく、それらのスロットは２つのスロットの開口部の間の圧縮キャビティ３０の短領域によって結合されている。そのような「ループ」およびその内部の共鳴波は複雑な３次元形状であり、議論された２次元断面によって暗示された単純な経路ではない。スロット１０４と１０６との間のブリッジ通路１１０は、それらの２つのスロットの間のループを大幅に短縮し、ループの共鳴周波数を上昇している。ループの共鳴周波数の上昇は、周波数を、ループ共鳴が変換器の応答の原因となるピークおよびディップ（dips）に人間がより鈍感な範囲に移動させる傾向にある。ループ共鳴が強力でないので、より高い周波数においてより多くの偶発的な減衰となる傾向も存在する。さらに、任意のループ共鳴の共鳴周波数を上昇させることで、バランスブリッジデザインも最初の場所においてループ共鳴を励起するスロット間の圧力不均衡も減少させている。
【００１８】
２つの代替的なブリッジフェイズプラグのデザイン２００および２０１が個々に図５および６に図示されている（各々のセクションの右半分のみが図示されている）。図５ａにおいて、第１スロット２０４と第２スロット２０６とは第１ブリッジ要素２１０によって形成されており、第１ブリッジ通路２１４と結合し、第２ブリッジ要素２１２の周りの第２ブリッジ通路２１６を通じて第３スロット２０８と順に結合している。出口スロット２１８は第２ブリッジ通路に結合されている。あるいは、２つの内部スロット２０６および２０８は最初に結合されてもよい。図６において、ブリッジされた最初のスロット２０４と２０６とはブリッジ要素２１０によって形成され、これまでのように、第１ブリッジ通路２１４と結合し、一方で第３スロット２２０と第４スロット２２２とは追加のブリッジ要素２２４によって形成されており、第２ブリッジ通路２２８と結合している。２つのブリッジ通路２１４および２２８は第３ブリッジ要素２２６によって離間されており、出口スロット２１８に結合された第３ブリッジ通路２３０と結合している。これらの各デザインは特に有利に圧縮ドライバのデザインであってもよく、重要な軸対称定常波内のノードと数とに依存しており、それはドームおよび圧縮キャビティの直径の関数となる傾向にある。
【００１９】
組み立てられたラウドスピーカ３００の断面が図７に示されている。ラウドスピーカは、エクスポネンシャルホーン３０２に連結された圧縮ドライバ１００を含んでいる。コニカル、ハイパボリック、およびトラクトリック（tractric）などの他のホーン形状も適切である。上述のブリッジフェイズスロット１０２は圧縮ドライバ１００内に配置されており、ホーンの開始端と連通したフェイズプラグのスロートを備えている。上述の通り、スロートはホーンの湾曲と互換性のある指数曲線を備え、完成したラウドスピーカの目標とされた遮蔽周波数に基づいている。
【００２０】
別の実施形態４００が図８に示されている。いくつかの例において、ドームとモータとの構造は逆転されており、ドーム１０の凸面はフェイズプラグ４０２の凹面に面している。図８の例において、ドーム全体とモータとの構造は逆転されている。他の例においては、ドームは逆転され、モータ構成は構造のフェイズプラグの側に残っている。ドーム逆転デザインにおいて、ドームインターフェイス面４０８の面法線は発散し、一方で、従来のフェイズプラグにおいては、図３に示されたように、面法線はドームインターフェイス面がセクションとなった球面の中心において一点に集中している。各スロットが面４０８からスロート４１６まで比較的直線的な経路を形成している場合、それらの長さはスロット半径の増加に伴って増加する。図示されたようなブリッジフェイズプラグにおいて、スロット４０４と４０６とは面において開始端とされ、ブリッジ通路４１０において結合し、ブリッジ要素４１２によって離間されている。出口スロット４１４はブリッジされたスロットを開口４１８において終端となったスロート４１６に接続している。スロットを曲げてブリッジを形成することによって、中心線に近接したスロットの有効長は増大し、全てのスロットは同様の長さとなり、それぞれの開始半径と無関係である。
【００２１】
他の実施は、以下のクレームおよび出願人が権利を与えられてもよい他のクレームの範囲内である。
【符号の説明】
【００２２】
１０  ・・・ドーム、      １２  ・・・スカート、      １４  ・・・ボビン、      １６  ・・・サラウンド、      ２０  ・・・音声コイル、      ２２  ・・・磁石、      ２４  ・・・極片、      ２６  ・・・後方キャビティ、      ２８  ・・・後方キャビティ壁、      ３０  ・・・圧縮空間、      ３２  ・・・ドームインターフェイス面、      ３４  ・・・フェイズプラグ、      ３８  ・・・スロート、      １００  ・・・圧縮ドライバ、      １０２，２００，２０１  ・・・ブリッジフェイズプラグ、      １０４，１０６  ・・・スロット、      １０８，４０８  ・・・ドームインターフェイス面、      １１０，４１０  ・・・ブリッジ通路、      １１２  ・・・ブリッジ要素、      １１４，２１８，４１４  ・・・出口スロット、      １１６，４１６  ・・・スロート、      １１８  ・・・開口、      ２０４  ・・・第１スロット、      ２０６  ・・・第２スロット、      ２０８，２２０  ・・・第３スロット、      ２１０  ・・・第１ブリッジ要素、      ２１２  ・・・第２ブリッジ要素、      ２１４  ・・・第１ブリッジ通路、      ２１６，２２８  ・・・第２ブリッジ通路、      ２２２  ・・・第４スロット、      ２２４  ・・・追加のブリッジ要素、      ２２６  ・・・第３ブリッジ要素、      ２３０  ・・・第３ブリッジ通路、      ３００  ・・・ラウドスピーカ、      ３０２  ・・・エクスポネンシャルホーン
【図３Ａ】
0005506119.tif 000002
【図３Ｂ】
0005506119.tif 000003
【図４】
0005506119.tif 000004
【図５】
0005506119.tif 000005
【図６】
0005506119.tif 000006
【図７】
0005506119.tif 000007
【図８】
0005506119.tif 000008
【図１】
0005506119.tif 000009
【図２】
0005506119.tif 000010